(57)【要約】【課題】フィルムをシールすることによって、液体もしくはゲル状のものを密封シールした袋において、絞り出しを容易にし、また絞り出し時、内容物が付着して手が汚れやすいという欠点を改善する。【解決手段】  本体内容物収納部を包み込む、もしくは側面から支えることができる絞り出し用断片を備える。この絞り出し用断片には空気室を設けることがさらに効果的である。また、この絞り出し用断片は、切断開口部を側面から覆い、手が汚れるのを防止できる。【選択図】図６
2011037495.tif 000002
【特許請求の範囲】
【請求項１】
フィルムをシールして形成し、液体もしくは半流動体を封入した袋において、
その外径形状が、本体内容物収納部の外径形状、もしくは本体内容物収納部を折りたたんだ場合の外径形状と類似、もしくはそれより大である絞り出し用断片を、本体内容物収納部の隣接部に一体化、もしくは別体として備え、
この絞り出し用断片により、本体内容物収納部を周囲から包み込む、もしくは側面から支えることができることにより、
絞り出し時の扱いを容易にした、絞り出し用断片を備えた容器。
【請求項２】
フィルムをシールして形成し、液体もしくは半流動体を封入した袋において、
本体内容物収納部の隣接部に一体化、もしくは別体として、空気室を備えた絞り出し用断片、もしくはフィルムの筒を備え、
この絞り出し用断片、もしくはフィルムの筒により、本体内容物収納部を周囲から包み込む、もしくは側面から支えることができることにより、
絞り出し時の扱いを容易にした、絞り出し用断片を備えた容器。
【請求項３】
前記、絞り出し用断片が備えた空気室が、気体もしくは液体を封入シールしたもの、もしくは発泡素材を中に詰めたものであることを特徴とする請求項2記載の、絞り出し用断片を備えた容器。
【請求項４】
前記、絞り出し用断片が備えた空気室が、口により空気を吹き込んでふくらませることができる吹き込み口を備えたもの、もしくは逆止弁と加圧部を備えた吹き込み装置を備えたものであることを特徴とする請求項2記載の、絞り出し用断片を備えた容器。
【請求項５】
前記、吹き込み口が、折りたたむことにより、もしくはキャップを備えることにより、封入空気を密閉する機構を有することを特徴とする請求項３、4記載の、絞り出し用断片を備えた容器。
【請求項６】
上部には、本体内容物収納部と絞り出し用断片がずれないように、互いに噛み合うような噛み合い機構が備えられている、請求項１から5記載の、絞り出し用断片を備えた容器。
【請求項７】
前記絞り出し用断片、および本体収納部の少なくとも一方が、透明もしくは半透明素材で作られている、請求項１から７記載の、絞り出し用断片を備えた容器。
【請求項８】
液体、もしくは半流動体からなる本体内容物を収納した部位に隣接した部位に絞り出し用の空気室を用意し、コンプレッサーもしくはファンで乾燥空気を吹き込み、空気室をある程度ふくらませた状態でシールを施すことで、絞り出し用断片を備えた容器を製作する製作方法。
【請求項９】
液体、もしくは半流動体からなる本体内容物を収納した部位に隣接したシートの余白部分に、本体内容物収納部の外径形状、もしくは体内容物収納部を二つに折りたたんだ時の外径形状と類似、もしくはそれより大であるシート部分を形成することで、絞り出し用断片を構成することを特徴とする、絞り出し用断片を備えた容器を製作する製作方法。
【発明の詳細な説明】
【技術分野】
【０００１】
本発明は、液状もしくはゲル状のものを封入した軟質合成樹脂、もしくは軟質合成樹脂フィルムからなる容器に関するものである。
【背景技術】
【０００２】
フィルムをシールすることによって、液体もしくはゲル状のものを密封シールした袋は、安価であるため、様々な形状のものが製造され、また各種技術改善がなされている。
【０００３】
特に、絞り出し時の取り扱いを改善することを目標にした幾つもの技術があるが、充分なものとは言えなかった。
【０００４】
なお、本願特許に関連する公知技術として、次の特許文献１、２をあげることができる。
【０００５】
【特許文献１】特許公開  平１０−１２９６８４
【特許文献２】特許公開  ２０００−２０３６０２
【発明の開示】
【発明が解決しようとする課題】
【０００６】
フィルムをシールすることによって、液体もしくはゲル状のものを密封シールした袋において、絞り出しの最初は、内容物によって袋容積が広がっており、つかみやすくなっているため、絞り出しは容易であるが、内容物が残り少なくなったとき、絞り出しは容易ではなくなる欠点があった。
【０００７】
また、調味料などを封入し、切断開口部を備えた小型のものでは、絞り出し時、内容物が付着して手が汚れやすいという欠点があった。
【課題を解決するための手段】
【０００８】
内容物が絞り出しにくいという問題は、袋をそのまま直接指で触れて絞ると、袋の左右もしくは上部に内容物が分散し、偏ってしまい、十分に押し出すことができない状態と考えられる。これを防止するには、袋を直接に指で押すのではなく、中間に介在物を挟み均等な圧力をかけることで解決が可能である。
【０００９】
前記介在物としては、
１：空気、乾燥空気、ガス、液体、半流動体などを封入した密封室、
２：もしくは口で空気を吹き込んでふくらませることができる空気室、
３：加圧室を備えた空気室、
４：逆止弁を備えた空気室、
５：発泡素材を中に入れた介在物、
などが適当であり、内容物が残り少なくなっても、袋を効果的に加圧でき、絞り出しを容易にすることができる。
【００１０】
上記機能は、空気室ではなく、単なるシート状、あるいは薄板状であっても、片側を絞り出したい容器に押し付けることで、側面から本体内容物収納部を支えることができ、絞り出しは容易となる。
【００１１】
次に、内容物を絞り出したとき、手が汚れやすいという問題は、切断開口部の側方位置に、その開口部を十分に覆うことができる絞り出し用断片としてのシート、薄板、もしくは前記空気室等があれば、内容物に直接手が触れることなく、絞り出しは容易である。
【発明の効果】
【００１２】
以上説明したように、本発明によって、絞り出しやすく、手が汚れにくい絞り出し容器が提供でき、極めて有効である。
【００１３】
空気室部分を透明素材で作ることで、絞り出し状態の把握も容易であるという効果がある。
【００１４】
本発明を使い捨て注射器などに利用することで、簡単には再充填ができない衛生的な注射器としても使用が可能である。
【００１５】
なお、この注射器は使用の前後、針部を本体内容物収納部と、絞り出し断片とのの間に折りたたんで収納することもでき安全である。
【発明を実施するための最良の形態】
【００１６】
以下、本発明を実施するための最良の形態を、図、断面図または斜視図に基づいて詳細に説明する。
【００１７】
また、説明にあたって、同一構成部分には同一符号を付して重複する説明を省略する。
【００１８】
図1に本発明の第1の実施形態を示す。
【００１９】
図1Aは、切断開口部5を備えた絞り出し袋であり、本体内容物収納部１の隣接部に一体化して、本体内容物収納部を包み込む、もしくは側面から支えることができる絞り出し用断片2、3を備えたものである。
【００２０】
図では２と３の間はミシン目が入る、もしくは熱シール6により折れ曲がるように位置決めがされているが、単純なフィルムのままでも効果はある。
【００２１】
図１Ｂに、断面図で示すのは、絞り出し用断片2、3で本体１を包んでいる状態をである。
図１Ａに示す切断開口部５よりｃの分だけせりだしがあり、下部に余裕があるので、絞り出しの最後の工程でも手は汚れない。
【００２２】
絞り出し用断片の幅e、fは本体部の絞り出し時の幅ｄと同寸もしくはｄより大きい。
【００２３】
上部には、袋本体と絞り出し用断片がずれないように、互いに噛み合うような噛み合い機構が備えられている。この図ではそれらが深いノッチ17で構成されている。
【００２４】
噛み合い機構は、前記のように凹凸を組み合わせたもの、あるいは一方が凹ではなく、穴になっているようなものの組み合わせでも構成できる。
【００２５】
ここでは絞り出し断片は両側面を覆うように図示されているが、片側面のみを覆う状態でも絞り出しは容易になる。
【００２６】
さらに、図では詳細に示さないが、この絞り出し用断片は、一体ではなく、別体としても提供が可能である。
その場合、単なるフィルムの筒でも、十分な効果がある。
【００２７】
第2および第3の実施形態。
【００２８】
図２A、図３Aは、3方または4方からシールした容器に絞り出し用断片部を構成した図である。図２B、図３Bは、その斜視図である。
【００２９】
第4の実施形態。
【００３０】
図４Aは、図２と類似の本体内容物収納部1に絞り出し用断片２のみを設けたものである。
【００３１】
図４Bに、絞り出しの状況を斜視図で示す。22は、絞り出す対象の容器の部分断面図である。
本体内容物収納部１は、絞り出したい対象の容器内壁に押し付けられ、絞り出し用断片２を介して押し付けることで、絞り出しができる。
【００３２】
絞り出し用断片２の下部にはｃの幅があるので、絞り出された内容物は手を汚さず内容物を容器内壁に移動させることができる。
【００３３】
第5の実施形態。
【００３４】
図5Aは、絞り出すとき、本体内容物収納部を縦半分に折りたたんで、その周囲を絞り出し用断片でくるむように全体を構成したものである。
【００３５】
本体内容物収納部の下部には切断開口部に向かって下がる傾斜8がつけられており、絞り出しが容易になっている。
【００３６】
図5Bは、本体を縦半分に折りたたんで、絞り出し用断片でくるんだ状態の横断面図である。折りたたむことで、本体内容物収納部の厚みは倍になるので絞り出しはさらに容易になる。
【００３７】
第6の実施形態。
【００３８】
図6Aは、前記図1Aと同様、横方向に絞り出し用断片を備え、かつ絞り出し用断片部に空気室を備え、シールしたものである。空気室を備えることで、絞り出しはさらに容易になる。
【００３９】
空気室内に入るのは乾燥した空気、ガスの他、液体、もしくは発泡素材であっても同様に機能する。
【００４０】
空気室が透明であると、絞り出し時、内容物の動向がわかって便利である。本体内容物収納部が透明であるとさらに内容物の動きがわかりやすい。
【００４１】
絞り出し時、空気室のスペースは多少圧縮されるが、ゼロになることはないので、視差ができ、内容物の動きが指で隠れることなく、わかりやすい。
【００４２】
空気室内の空気はシールされているが、電子レンジなどに入れて、周囲から加熱されても爆発しないように、通常の室内の気圧下では空気室の器壁にゆるみもしくはたわみが発生し、余裕のある状態であることが望ましい。
【００４３】
空気の封入は、コンプレッサーもしくはファンで乾燥空気を吹き込み、袋をある程度ふくらませたまま熱シールを施すだけで製作ができ、製作はごく容易であり、シート量が増えるのみなので安価である。
【００４４】
空気室下端部18は、他の図でも同様であるが、最後まで内容物を絞り出しやすいよう、本体内容物収納部の下端（開口部）19よりさらに下に下がって形成されている。
【００４５】
使用時は、噛み合い機構部を手で持ち、空気室を上から指でしごくようにすれば、下方部に空気だまりができ、より強力に内容物を絞り出すことができる。
【００４６】
断面図6Ｂの状態で、手で全体を握りつぶすようにしても絞り出すことができる。
【００４７】
第7の実施形態。
【００４８】
図7Aは、前記図5と同様の、本体収納部を折りたたんで絞る方式の絞り出し用断片部に空気室を備えたものである。本体部を２つ、もしくは３つに折りたたむことで、絞り出しはさらに容易になる。
【００４９】
第8の実施形態。
【００５０】
図8Aは、より大型の、主に詰め替え容器等に適する形態であり、空気室に吹き込み口12を備えたものであり、吹き込む前は、空気室の容積がほとんどゼロになることから、製品をパッケージしたときの容積増加の心配がないことが特徴である。
【００５１】
空気室密閉機構として、折り返したとき噛み合う部分16を備えている。
【００５２】
噛み合いのようすを、部分拡大図8Bに示した。
【００５３】
使用時は口で吹き込み口12から空気を入れてふくらませ、噛み合い部分16で密封して使用する。
【００５４】
なお、この図では吹き込み口を１つにするため、空気室連結穴14を備えている。
【００５５】
第9の実施形態。
【００５６】
図9Aは、前記図7Aと同様、本体内容物収納部を折りたたんで絞り出す形式のものの空気室に、空気吹き込み口を備えたものである。
【００５７】
空気室密閉機構としては、図で上に折り返して、本体内容物収納部と絞り出し用断片で、折り返した部分を挟むことで空気を密封するものであり、製作は容易である。
【００５８】
第10の実施形態。
【００５９】
図10は、空気吹き込み口にキャップを設けたものである。切断して開口するものより大型の容器に適している。
【００６０】
キャップ10があるので、使用中途での密封が可能となり、少しずつ消費する内容物に適している。
【００６１】
その場合は、一回きりの使い捨てではないので、本体と絞り出し用断片をまとめるための係止機構20、21があると便利である。
【００６２】
係止機構は、粘着テープ状の構造になっていると、絞り出して本体が収縮したとき、順次位置をずらすこともできて便利である。
【００６３】
本体内容物が、使用時の気温と温度差があるものであっても、周囲に空気室があるので、多少の断熱効果が期待できるという長所がある。
【００６４】
少なくとも空気室が透明であると、絞り出し状態がわかって便利である。本体収納部が透明であると、内容物の動きはさらにわかりやすい。
【００６５】
使用時、本体収納部には空気が逆流しないので、内容物酸化のおそれがないという長所がある。
【００６６】
第11の実施形態。
【００６７】
図11は、本体のキャップのかわりに注射針11を備え付けることで、使い捨て注射器として構成したものである。
【００６８】
一度使い切った本体に新しい内容物を入れて二次使用しにくい構造なので、衛生的である。
【００６９】
使用後（もしくは使用前）は注射針部分を本体と絞り出し用断片の間に折りたたむことで、注射針が安全に収納できる。
【００７０】
図には示していないが、空気室の注口部12にポンプ（加圧機構）と逆止弁を形成、もしくは増設することで、空気室への加圧を容易にすることも可能である。
【産業上の利用可能性】
【００７１】
本発明は、現在のシート袋の加工設備をほんの少し変更するだけで容易に製作でき、使いやすい容器を提供でき、産業的に有益である。
【図面の簡単な説明】
【００７２】
【図１】Ａは本発明の第1の実施形態に関わる、絞り出し用断片を備えた容器。Ｂは同、使用時のｇｈによる断面図。
【図２】Ａは本発明の第2の実施形態に関わる、絞り出し用断片を備えた容器。Ｂは同、使用時の斜視図。
【図３】Ａは本発明の第3の実施形態に関わる、絞り出し用断片を備えた容器。Ｂは同、使用時の斜視図。
【図４】Ａは本発明の第4の実施形態に関わる、絞り出し用断片を備えた容器。Ｂは同、使用時の斜視図。
【図５】Ａは本発明の第5の実施形態に関わる、空気室を備えた絞り出し用断片を備えた容器。Ｂは同、使用時のｇｈによる断面図。
【図６】Ａは本発明の第6の実施形態に関わる、絞り出し用断片を備えた容器。Ｂは同、使用時のｇｈによる断面図。
【図７】Ａは本発明の第7の実施形態に関わる、絞り出し用断片を備えた容器。Ｂは同、使用時のｇｈによる断面図。
【図８】Ａは本発明の第8の実施形態に関わる、絞り出し用断片を備えた容器。Ｂは同、噛み合い部分の部分図。
【図９】本発明の第9の実施形態に関わる、絞り出し用断片を備えた容器。
【図１０】本発明の第10の実施形態に関わる、絞り出し用断片を備えた容器。
【図１１】本発明の第11の実施形態に関わる、絞り出し用断片を備えた容器。
【符号の説明】
【００７３】
1  本体内容物収納部
２  絞り出し用断片
３  絞り出し用断片
４  内容物
５  切断開口部
６  シール部
7  空気室
8  傾斜部
9  注口部
10  本体キャップ
11  注射針
12  空気室部  注口部
13  空気室部  キャップ
14  空気室連結穴
15  切り取り部
16  空気室密閉機構
17  ずれ防止の刻み目ノッチ
18  空気室最下端部
19  本体内容物収納部最下端
20  係止機構
21  係止機構
22  容器
23  折り返し部
【図１】
2011037495.tif 000003
【図２】
2011037495.tif 000004
【図３】
2011037495.tif 000005
【図４】
2011037495.tif 000006
【図５】
2011037495.tif 000007
【図６】
2011037495.tif 000008
【図７】
2011037495.tif 000009
【図８】
2011037495.tif 000010
【図９】
2011037495.tif 000011
【図１０】
2011037495.tif 000012
【図１１】
2011037495.tif 000013
【手続補正書】
【提出日】平成21年12月11日(2009.12.11)
【手続補正１】
【補正対象書類名】特許請求の範囲
【補正対象項目名】全文
【補正方法】変更
【補正の内容】
【特許請求の範囲】
【請求項１】
フィルムシートの３辺、もしくは何箇所かをシールして形成し、液体もしくは半流動体を内封し、切断することで内容物が排出できる切断開口部を備えた袋において、
本体内容物を収納した部位に隣接したフィルムシートの余白部分にあたる場所に、フィルムシートによって形成された、１片もしくは２片の絞り出し用断片を備え、
該絞り出し用断片は、該本体内容物収納部を、１片の場合は片側から支え覆い、２片の場合は挟み込む、もしくは周囲から包み込むことが可能な大きさ、形状に成形され、
絞り出し時、仮に切断開口部の周辺部を下とした状態で見たとき、
前記切断開口部よりさらに下に、その下部端面が至る、せりだし部分を備えていることにより、
切断開口部を側面から被覆絶縁保護することができるものであり、
手で内容物を絞り出すとき、切断開口部から排出される液もしくは半流動体に直接手が触れることがないため、手が汚れる心配がなく、そのため内容物が絞り出しやすいことを特徴とする、
絞り出し時の扱いを容易にした、絞り出し用断片を備えた容器。
【請求項２】
本体内容物収納部が、縦二つに折ることで内容物が排出しやすく構成されるものであり、
前記絞り出し用断片の１片の横幅が、本体内容物収納部を、内容物が入っている状態で縦２つ折りにしたときの外径形状と類似、もしくはそれより大であり、
１片の場合は片側から支え覆い、２片の場合は挟み込む、もしくは周囲から包み込むことが可能な大きさ、形状に成形されていることを特徴とする、
請求項１記載の、絞り出し用断片を備えた容器。
【請求項３】
前記絞り出し用断片が、空気を封入し、シールした空気室から構成されたものであることにより、より強力に本体内容物を絞り出すことが出来ることを特徴とする、
請求項１、２のいずれかに記載の絞り出し用断片を備えた容器。
【請求項４】
フィルムシートの３辺、もしくは何箇所かをシールして形成し、液体もしくは半流動体を内封し、注口部を備えた袋において、
本体内容物を収納した部位に隣接したフィルムシートの余白部分にあたる場所に、フィルムシートによって形成された、絞り出し用断片を備え、
該絞り出し用断片は、該本体内容物収納部を、片側から支え覆う、もしくは挟み込む、もしくは周囲から包み込むことが可能な大きさ、形状に成形され、
該絞り出し用断片は、シールによって構成された、開放された空気室から構成されものであり、口により空気を吹き込んでふくらませることができる吹き込み口と折り返し等による空気密封機構、もしくは逆止弁と加圧部を備えた吹き込み装置を備えたものであることにより、
手で内容物を絞り出すとき、膨らませた空気室を介在することで、内容物が残り少なくなっても、横から支えることができ、内容物が絞り出しやすいことを特徴とし、
空気を吹き込む前は、空気室の容積がほとんどゼロになることから、製品をパッケージしたときの容積増加の心配がなく、
本体内容物を絞り出しやすくしたことを特徴とする、
絞り出し時の扱いを容易にした、絞り出し用断片を備えた容器。
【請求項５】
前記空気室を備えた絞り出し用断片が、本体と別体で形成されたものであることを特徴とする、
請求項３、４のいずれかに記載の絞り出し用断片を備えた容器。
【請求項６】
フィルムシートを折り返して２重にし、もしくは重ねた状態でシールすることによって、本体内容物収納部の外縁を形成し、該本体内容物収納部に液体もしくは半流動体を内封し、開口部、もしくは切断開口部を備えた袋において、
フィルムシートの本体内容物収納部を形成する部分に隣接するシートの余白部分を、
横サイズに関して、絞り出し時、拡張した余白部分によって本体内容物収納部を、側面から支える、もしくは両側から挟む、もしくは周囲から包み込むことができる幅まで拡張することによって、
指で本体内容物を絞り出すとき、絞り出しを容易とする絞り出し用断片を、
本体と一体的に、本体内容物収納部を成形するのとほぼ同じ工程作業で製作できることを特徴とする、
絞り出し用断片を備えた容器を製作する製作方法。
【請求項７】
前記切断開口部を備えた袋において、
前記絞り出し用断片が、縦サイズに関して、切断開口部よりさらに下方向に向かって、切断開口部を側面から指で押さえるに十分なせり出し部分を加味した大きさまで拡張したものであることにより、
指で本体内容物を絞り出すとき、切断開口部を側面から十分に覆うことが出来、手が汚れないようにすることを可能とした絞り出し用断片を、
本体と一体的に、本体内容物収納部を成形するのとほぼ同じ工程作業で製作できることを特徴とする、
請求項６記載の絞り出し用断片を備えた容器を製作する製作方法。
【請求項８】
前記絞り出し用断片、もしくはその集合体が、閉鎖した１つ以上の空気室から構成されるものであり、
シール工程にコンプレッサーなどの加圧設備等を追加して、空気を吹き込んだ状態でフィルムシートをシールするだけで、
本体と一体的に、本体内容物収納部を成形するのとほぼ同じ工程作業で製作できることを特徴とする、
請求項６、７のいずれかに記載の絞り出し用断片を備えた容器を製作する製作方法。
【請求項９】
前記絞り出し用断片、もしくはその集合体が、開放された１つ以上の空気室から構成されたものであり、
口により空気を吹き込んでふくらませることができ、
使用時に折り返すことによって閉鎖を可能とする吹き込み口を、シール成形時、その上部、もしくは下部、もしくは横隣の平面上に構成したものであることにより、
空気を吹き込む前は、空気室の容積がほとんどゼロになることから、製品をパッケージしたときの容積増加の心配がなく、
空気を吹き込んで膨らませることによって、本体内容物を絞り出しやすく、かつ周囲から断熱する機能をもたせるように構成したことを特徴とする、
本体と一体的に、本体内容物収納部を成形するのとほぼ同じ工程作業で製作できることを特徴とする、
請求項６、７のいずれかに記載の絞り出し用断片を備えた容器を製作する製作方法。